(57)【要約】【課題】ルーバーに上記目隠し、遮光、通風、意匠性向上という本来の機能の他に、吸音機能を持たせ、特に、オフィスビルのホール、コンサートホール、公共施設、学校、病院、図書館等の静粛性が要求される建物の天井や壁面に用いるのに好適な吸音ルーバー及びそれを用いた吸音構造を提供することを課題とする。【解決手段】薄手のメタルプレート３に樹脂フィルム２を積層し、樹脂フィルム２からメタルプレート３に抜けるピンホール４，４ａを全面に亘って設けた基板１が、コの字型に折曲されて成る。吸音ルーバーＡの内側空間部には、吸音材６が充填される。【選択図】図１
2020084631.tif 000002
【特許請求の範囲】
【請求項１】
薄手のメタルプレートに樹脂フィルムを積層し、前記樹脂フィルムから前記メタルプレートに抜けるピンホールを全面に亘って設けた基板が、コの字型に折曲されて成ることを特徴とする吸音ルーバー。
【請求項２】
内側空間部に吸音材が充填された、請求項１に記載の吸音ルーバー。
【請求項３】
下端部に、壁面材又は天面材に固定するための固定用フランジが延設された、請求項１又は２に記載の吸音ルーバー。
【請求項４】
薄手のメタルプレートに樹脂フィルムを積層し、前記樹脂フィルムから前記メタルプレートに抜けるピンホールを全面に亘って設けた基板が、コの字型に折曲されて成るルーバー構成材と、その内側に配備される固定部材とから成り、前記ルーバー構成材は前記固定部材を介して壁面材又は天面材に設置されることを特徴とする吸音ルーバー。
【請求項５】
前記固定部材は、断面コの字型を呈していて壁面又は天面に固定されるベース部材であり、前記ルーバー構成材は、前記ベース部材に被せて前記ベース部材の側面に固定される、請求項４に記載の吸音ルーバー。
【請求項６】
前記ルーバー構成材内に吸音材が充填された、請求項５に記載の吸音ルーバー。
【請求項７】
前記固定部材は、断面コの字型を呈していて壁面又は天面に固定されるベース部材と、断面コの字型を呈していて、前記ベース部材に嵌め付け固定される嵌合部材とから成り、前記ルーバー構成材は、内側に空間部を残して前記嵌合部材に嵌着される、請求項４に記載の吸音ルーバー。
【請求項８】
前記空間部に吸音材が充填された、請求項７に記載の吸音ルーバー。
【請求項９】
前記嵌合部材の天面に開口が穿設されて前記嵌合部材の内側が背後空気層となっている、請求項７又は８に記載の吸音ルーバー。
【請求項１０】
断面コの字型を呈していて壁面材又は天面材に固定されるベース部材と、断面コの字型を呈していて、前記ベース部材に嵌め付け固定される嵌合部材とから成る一対の固定部材と、薄手のメタルプレートに樹脂フィルムを積層し、前記樹脂フィルムから前記メタルプレートに抜けるピンホールを全面に亘って設けた基板を前記固定部材の形状及び間隔に対応して折曲したルーバー構成材とから成り、前記ルーバー構成材が前記一対の固定部材を跨いで設置されていることを特徴とする吸音ルーバー。
【請求項１１】
断面コの字型を呈していて壁面材又は天面材に固定されるベース部材から成る一対の固定部材と、薄手のメタルプレートに樹脂フィルムを積層し、前記樹脂フィルムから前記メタルプレートに抜けるピンホールを全面に亘って設けた基板を前記固定部材の形状及び間隔に対応して折曲したルーバー構成材とから成り、前記ルーバー構成材が前記一対の固定部材を跨いで設置されていることを特徴とする吸音ルーバー。
【請求項１２】
前記一対の固定部材間の空間部に吸音材が充填された、請求項１０又は１１に記載の吸音ルーバー。
【請求項１３】
薄手のメタルプレートに樹脂フィルムを積層し、前記樹脂フィルムから前記メタルプレートに抜けるピンホールを全面に亘って設けた吸音板で構成される壁面材又は天面材に、請求項１乃至１２のいずれかに記載の吸音ルーバーを設置して成る吸音構造。
【発明の詳細な説明】
【技術分野】
【０００１】
本発明は、吸音ルーバー及びそれを用いた吸音構造に関し、より詳細には、窓や階段等における目隠し、遮光、通風等の目的で、あるいは、天井や壁面の意匠性向上のために用いられるルーバーで、見栄えがよいだけでなく、吸音性能に優れた吸音ルーバー及びそれを用いた吸音構造に関するものである。
【背景技術】
【０００２】
ルーバーは、公共施設、学校、病院、図書館等の窓や階段等における目隠し、遮光、通風等の目的で、あるいは、天井や壁面の意匠性向上のために、複数平行に、あるいは、格子状に設置されるものである。ルーバーは一般に、断面が四角形のアルミニウム製長尺材であるルーバー材を、適宜間隔置きにストリンガー、あるいは、背壁に、種々の取付部材を介して固定して構成される（特開２０１３−２３８０６４号公報、特開２００３−３１４０１７号公報、実用新案登録第３１７１１８６号公報等）。
【先行技術文献】
【特許文献】
【０００３】
【特許文献１】特開２０１３−２３８０６４号公報
【特許文献２】特開２００３−３１４０１７号公報
【特許文献３】実用新案登録第３１７１１８６号公報
【発明の概要】
【発明が解決しようとする課題】
【０００４】
上述したように、一般にルーバー材は、断面が四角形のアルミニウム製長尺材で、適宜間隔置きにストリンガー、あるいは、背壁に、種々の取付部材を介して固定され、目隠し、遮光、通風、あるいは、天井や壁面の意匠性向上のために設置されるものであって、それ以上のものではない。
【０００５】
そこで本発明は、ルーバーに上記目隠し、遮光、通風、意匠性向上という本来の機能の他に、吸音機能を持たせ、特に、オフィスビルのホール、コンサートホール、公共施設、学校、病院、図書館等の静粛性が要求される建物の天井や壁面に用いるのに好適な吸音ルーバー及びそれを用いた吸音構造を提供することを課題とする。
【課題を解決するための手段】
【０００６】
上記課題を解決するための請求項１に記載の発明は、薄手のメタルプレートに樹脂フィルムを積層し、前記樹脂フィルムから前記メタルプレートに抜けるピンホールを全面に亘って設けた基板が、コの字型に折曲されて成ることを特徴とする吸音ルーバーである。
【０００７】
一実施形態においては、内側空間部に吸音材が充填され、また、下端部に、壁面材又は天面材に固定するための固定用フランジが延設される。
【０００８】
上記課題を解決するための請求項４に記載の発明は、薄手のメタルプレートに樹脂フィルムを積層し、前記樹脂フィルムから前記メタルプレートに抜けるピンホールを全面に亘って設けた基板が、コの字型に折曲されて成るルーバー構成材と、その内側に配備される固定部材とから成り、前記ルーバー構成材は前記固定部材を介して壁面材又は天面材に設置されることを特徴とする吸音ルーバーである。
【０００９】
一実施形態においては、前記固定部材は、断面コの字型を呈していて壁面又は天面に固定されるベース部材であり、前記ルーバー構成材は、前記ベース部材に被せて前記ベース部材の側面に固定される。その場合、前記ルーバー構成材内に吸音材が充填されることがある。
【００１０】
一実施形態においては、前記固定部材は、断面コの字型を呈していて壁面又は天面に固定されるベース部材と、断面コの字型を呈していて、前記ベース部材に嵌め付け固定される嵌合部材とから成り、前記ルーバー構成材は、内側に空間部を残して前記嵌合部材に嵌着される。その場合、前記空間部に吸音材が充填され、また、前記嵌合部材の天面に開口が穿設されて前記嵌合部材の内側に背後空気層が形成されることがある。
【００１１】
上記課題を解決するための請求項１０に記載の発明は、断面コの字型を呈していて壁面材又は天面材に固定されるベース部材と、断面コの字型を呈していて、前記ベース部材に嵌め付け固定される嵌合部材とから成る一対の固定部材と、薄手のメタルプレートに樹脂フィルムを積層し、前記樹脂フィルムから前記メタルプレートに抜けるピンホールを全面に亘って設けた基板を前記固定部材の形状及び間隔に対応して折曲したルーバー構成材とから成り、前記ルーバー構成材が前記一対の固定部材を跨いで設置されていることを特徴とする吸音ルーバーである。その場合、前記一対の固定部材間の空間部に吸音材が充填されることがある。
【００１２】
上記課題を解決するための請求項１１に記載の発明は、断面コの字型を呈していて壁面材又は天面材に固定されるベース部材から成る一対の固定部材と、薄手のメタルプレートに樹脂フィルムを積層し、前記樹脂フィルムから前記メタルプレートに抜けるピンホールを全面に亘って設けた基板を前記固定部材の形状及び間隔に対応して折曲したルーバー構成材とから成り、前記ルーバー構成材が前記一対の固定部材を跨いで設置されていることを特徴とする吸音ルーバーである。
【００１３】
上記課題を解決するための請求項１３に記載の発明は、薄手のメタルプレートに樹脂フィルムを積層し、前記樹脂フィルムから前記メタルプレートに抜けるピンホールを全面に亘って設けた吸音板で構成される壁面材又は天面材に、請求項１乃至１１のいずれかに記載の吸音ルーバーを設置して成る吸音構造である。
【発明の効果】
【００１４】
本発明に係る吸音ルーバー及びそれを用いた吸音構造は上記構成であって、目隠し、遮光、通風、意匠性向上という本来の機能の他に、吸音機能を有しているので、特に、オフィスビルのホール、コンサートホール、公共施設、学校、病院、図書館等の静粛性が要求される建物の天井や壁面に用いるのに好適なる効果がある。
【図面の簡単な説明】
【００１５】
【図１】本発明に係る吸音ルーバーの第１の実施形態の構成を示す斜視図である（実際の使用時には上下逆又は横向きとなる。以下同様）。
【図２】本発明に係る吸音ルーバーの第１の実施形態の構成及び使用状態を示す斜視図である。
【図３】本発明に係る吸音ルーバーの第２の実施形態の構成及び使用状態を示す斜視図である。
【図４】本発明に係る吸音ルーバーの第２の実施形態の構成及び使用状態を示す縦断面図である。
【図５】本発明に係る吸音ルーバーの第３の実施形態の構成及び使用状態を示す斜視図である。
【図６】本発明に係る吸音ルーバーの第３の実施形態の構成及び使用状態を示す縦断面図である。
【図７】本発明に係る吸音ルーバーの第４の実施形態の構成及び使用状態を示す斜視図である。
【図８】本発明に係る吸音ルーバーの壁面への使用状態を示す斜視図である。
【発明を実施するための形態】
【００１６】
以下に、本発明を実施するための種々の形態につき、添付図面に依拠して説明する。図１及び図２に示される第１の実施形態に係る吸音ルーバーＡは、薄手のメタルプレート３に樹脂フィルム２を被装し、樹脂フィルム２からメタルプレート３にかけて互いに連通するピンホール４，４ａを全面に亘って透設した基板１をコの字型に折曲して構成されるものである。言うまでもなく基板１は、不燃の認定を取得したものであることが好ましい（本願出願人は不燃の認定を取得済みである。）。
【００１７】
表層となる、換言すれば、人目に晒されることになる樹脂フィルム２には、木目模様その他任意の模様や色柄表現等の印刷が施される。樹脂フィルム２としては、例えば、グラビア印刷可能な、厚さ０．１７ｍｍ以下の塩化ビニル樹脂系フィルムが用いられる。この樹脂フィルム２が、アクリル樹脂系粘着剤等の粘着層を介してメタルプレート３に合着される。メタルプレート３としては、例えば、厚さ０．６ｍｍ前後、即ち、０．６±０．２ｍｍの薄手のアルミニウム合金板が用いられる。
【００１８】
樹脂フィルム２とメタルプレート３には、互いに連通し合うピンホール４，４ａがその全面に亘って透設される。各ピンホール４，４ａは、樹脂フィルム２とメタルプレート３の合着前にそれぞれに透設しておき、ピンホール４とピンホール４ａを合わせて合着することとしてもよいが、合着後に樹脂フィルム２からメタルプレート３にかけて穿孔する方法の方が、効率的であり、且つ、きれいに仕上がるので好ましい。
【００１９】
ピンホール４，４ａは、目立たないサイズ、即ち、直径が１ｍｍ程度の微小孔であって、定間隔（例えば、４ｍｍ）置きに又はランダムに穿設される。孔径がこのレベルであると、天井面に配設された場合、その表面の樹脂フィルム２に施される模様や色柄表現等に関係なく、ほとんど視認することができないものとなる。
【００２０】
吸音ルーバーＡは、例えば、その下端を外方に折曲して形成した固定用フランジ８を介して壁面材（あるいは天面材）３１に固定される（図２（Ａ）参照）。なお、固定用フランジ８をねじ止めするような場合、ネジを隠すために、基板１を帯状にして被覆することが好ましい。あるいは、先に吸音ルーバーＡを固定し、後から壁面材（あるいは天面材）３１を施工するようにしてもよい。一実施形態においては、吸音ルーバーＡ内に吸音材６が充填される（図２（Ｂ）参照）。吸音材６としては、グラスウール等の吸音・断熱材を用いることができる。図示してないが、吸音ルーバーＡの両側開口部は、適宜閉塞板で閉塞する。    
【００２１】
より吸音効果を高めるために、壁面材（あるいは天面材）３１を、吸音ルーバーＡを構成する基板１と同様の、即ち、任意の模様や色柄を印刷した樹脂フィルム２と薄手のメタルプレート３とを積層し、樹脂フィルム２からメタルプレート３にかけて互いに連通するピンホール４，４ａを全面に亘って透設した構成の吸音板として、吸音機能を持たせるようにしてもよい。その場合は、メタルプレート３の裏面に、適宜厚さの吸音材６と同様の吸音材３２が配置される。
【００２２】
第１の実施形態に係る吸音ルーバーＡの場合、室内の騒音はピンホール４，４ａを通して吸音ルーバーＡ内に吸音される。吸音ルーバーＡ内に吸音材６が充填され、また、吸音ルーバーＡを固定する壁面材（あるいは天面材）３１に吸音機能を持たせた場合は、その吸音効果が増長される。
【００２３】
図３及び図４に示される第２の実施形態に係る吸音ルーバーＢは、上記吸音ルーバーＡと同様の構成のルーバー構成材１０と、これを天井面あるいは壁面に固定するための固定部材を組み合わせたものである。固定部材としては、断面コの字型を呈するベース部材１１ａが用いられ、ルーバー構成材１０は、ベース部材１１ａに被せ、その側面がベース部材１１ａの側面に、ビス止め、ねじ止め、接着等の固定手段によって固定される。その場合、ルーバー構成材１０内に吸音材６が充填されることがある（図４（Ｂ）参照）。ルーバー構成材１０の幅を変更する場合は、同時にベース部材１１ａの幅も変更することになる。なお、第２の実施形態におけるルーバー構成材１０には、固定用フランジ８を設けない。
【００２４】
この第２の実施形態の吸音ルーバーＢの施工に際しては、先ず壁面材（あるいは天面材）３１にベース部材１１ａをねじ止め等により固定する。次いで、ルーバー構成材１０をベース部材１１ａに被せ、ルーバー構成材１０の側面をベース部材１１ａの側面に、ビス止め、ねじ止め、接着等の固定手段によって固定する。
【００２５】
第２の実施形態に係る吸音ルーバーＢを設置する壁面板（あるいは天面材）３１は、基板１と同じ構成の吸音板とし、メタルプレート３の裏面に、適宜厚さの吸音材３２を配置したものとすることができることは、第１の実施形態の場合と同様である。
【００２６】
図５及び図６に示される第３の実施形態に係る吸音ルーバーＣは、上記第２の実施形態に係る吸音ルーバーＢと同様に、ルーバー構成材１０と、これを天井面あるいは壁面に固定するための固定部材を組み合わせたものである。この場合の固定部材としては、断面コの字型を呈するベース部材１１と、ベース部材１１よりも高さのある断面コの字型を呈していて、ベース部材１１に嵌め付けて固定される嵌合部材１２により構成される。
【００２７】
この場合のルーバー構成材１０は、嵌合部材１２よりも更に高いコの字型に形成される。それにより、嵌合部材１２に被せた際に、ルーバー構成材１０の内天面７と嵌合部材１２の天面１３との間に、吸音材６を充填するための空間部が形成される。この空間部のサイズは、ルーバー構成材１０の高さや幅を変えることにより、増減調整することができる。ルーバー構成材１０の幅を変更する場合は、同時にベース部材１１及び嵌合部材１２の幅も変更することになる。
【００２８】
そして、好ましくは、嵌合部材１２の天面１３に適宜形状及びサイズの開口１４を穿設することにより、また、小さな開口を多数設ける等して、嵌合部材１２の内側を背後空気層（背後吸音層）１５とする。この背後空気層１５のサイズも、嵌合部材１２の高さや幅を変えることにより増減調整することができる。この第３の実施形態におけるルーバー構成材１０にも、固定用フランジ８を設けない。
【００２９】
嵌合部材１２は、ベース部材１１を内に収めるようにしてベース部材１１に嵌合固定される。通例、嵌合部材１２の内側面に、ベース部材１１の外側面に形成される係止部１７に対応する係止部１８が形成され、ベース部材１１を嵌入した際に、係止部１７，１８同士が係止し合うようにされる。図示した係止部材１７，１８は楔形のツメであり、ベース部材１１を嵌入するに伴いその斜面同士が滑り接触し、斜面を過ぎたところでロック状態となる（図６参照）。また更に、嵌合部材１２からベース部材１１にネジ１９をねじ込む等により、嵌合部材１２をベース部材１１に確実に固定する。
【００３０】
この第３の実施形態の吸音ルーバーＣの施工に際しては、先ず壁面材（あるいは天面材）３１にベース部材１１をねじ止め等により固定する（図５の一番左のもの参照）。次いで、嵌合部材１２を、ベース部材１１に被せた後押し込むことにより、係止部材１７，１８を介してベース部材１１に係止させ、更にネジ１９等で固定する（図５の左から２番目のもの参照）。そして、ルーバー構成材１０を嵌合部材１２に被せ、ネジ２０止め、リベット止め、あるいは、接着剤や両面テープを用いて、嵌合部材１２に固定する。なお、嵌合部材１２をベース部材１１に嵌め付ける前に、予め嵌合部材１２とルーバー構成材１０を一体化しておいてもよい。
【００３１】
第３の実施形態に係る吸音ルーバーＣを設置する壁面板（あるいは天面材）３１は、基板１と同じ構成の吸音板とし、メタルプレート３の裏面に、適宜厚さの吸音材３２を配置したものとすることができることは、第１及び第２の実施形態の場合と同様である。
【００３２】
この吸音ルーバーＣの場合も、室内の騒音はピンホール４，４ａを通してルーバー材１内の吸音材６に吸音される。また、嵌合部材１２内が背後空気層１５となる場合は、低音域までの広範囲周波数帯域における吸音が可能となり、一層吸音率が向上する。また更に、吸音ルーバーＣを固定する壁面材（あるいは天面材）３１に吸音機能を持たせた場合は、吸音効果が一層増長される。
【００３３】
図７に示される第４の実施形態に係る吸音ルーバーＤは、上記第３の実施形態におけるベース部材１１と嵌合部材１２とから成る固定部材一対と、上記構成の基板１を固定部材の形状に対応して折曲し、一対の固定部材の間隔に対応する幅としたルーバー構成材２２とから成るもので、ルーバー構成材２２が一対の固定部材を跨いで設置されるものである。ルーバー構成材２２には、吸音ルーバーＡと同様に、固定用フランジ８を設けてもよいし、第３の実施形態におけるような方法で嵌合部材１２に固定することとしてもよい。また、固定用フランジ８を設ける場合は、第１の実施形態の場合と同様にして隠蔽することが好ましい。更に好ましくは、一対の固定部材間の空間部に吸音材６を充填することとする。
【００３４】
図示してないが、この第４の実施形態の変形例として、一対の固定部材をベース部材１１ａから成るものとする構成が考えられる。即ち、上記第２の実施形態の構成を利用するものである。
【００３５】
この吸音ルーバーＤの場合も、室内の騒音はピンホール４，４ａを通してルーバー構成材２２内の吸音材６に吸音される。また、ルーバー構成材２２を固定する壁面材（あるいは天面材）３１に吸音機能を持たせた場合は、吸音効果が一層増長されることも、上記各実施形態の場合と同様である。
【産業上の利用可能性】
【００３６】
本発明に係る吸音ルーバーは上記構成であって、目隠し、遮光、通風、意匠性向上という本来の機能の他に、吸音機能を有しているので、特に、オフィスビルのホール、コンサートホール、公共施設、学校、病院、図書館等の静粛性が要求される建物の天井や壁面に用いるのに好適であり、その産業上の利用可能性は大である。
【符号の説明】
【００３７】
Ａ，Ｂ，Ｃ，Ｄ           吸音ルーバー
１                       基板
２                       樹脂フィルム
３                       メタルプレート
４，４ａ                 ピンホール
６                       吸音材
７                       内天面
８                       固定用フランジ
１０                      ルーバー構成材
１１，１１ａ              ベース部材
１２                      嵌合部材
１３                      天面
１４                      開口
１５                      背後空気層    
１７，１８                係止部材
１９，２０                ネジ
２２                      ルーバー構成材
３１                      壁面材（天面材）
３２                      吸音材
【図１】
2020084631.tif 000003
【図２】
2020084631.tif 000004
【図３】
2020084631.tif 000005
【図４】
2020084631.tif 000006
【図５】
2020084631.tif 000007
【図６】
2020084631.tif 000008
【図７】
2020084631.tif 000009
【図８】
2020084631.tif 000010